(57)【特許請求の範囲】
【請求項１】
スライダーは、胴体１、引手２、爪杆３、板バネ４、カバー５から構成され、カバー５は、前壁２９、後壁３０、側壁３１、上壁３２から形成し、側壁３１の中央に引手２の枢軸２４が挿通できる開口部３３を設け、胴体１の上翼板７上の前後に一対の取付部１２，１３を設置し、カバー５の内面前後に前壁２９、後壁３０から内側へ隔離して板バネ保持用の保持機構３５を設け、
該保持機構３５は、上壁３２の幅方向中央に突出し板バネ４の長手方向前後端縁の一部に接触して保持する突起３６と、左右の側壁３１に並行して下方に立設し、板バネ４の長手方向前後端部を幅方向側面から横方向に保持する支持片３７とを有し、前記突起３６の左右両側と左右側壁３１との間に溝部４０を設け、該溝部４０内にあって保持機構３５とカバー５の上壁３２との間に空間部３９を形成し、保持機構３５は板バネをその端部から内側へ隔離した位置で保持してなり、
板バネ４と上翼板７との間に引手２の枢軸２４および爪杆３を介在させて、カバー５を前後の取付部１２，１３に固定してなることを特徴とする自動停止装置付スライドファスナー用スライダー。
【請求項２】
板バネ４は長方形板の両端中央に凹状の切欠部２６を設け、前記突起３６に板バネ４の切欠部２６を嵌挿し、カバー５の側壁３１内に、突起３６に対向する支持片３７を前後壁２９，３０から内側へ隔離して設け、支持片３７を折曲して板バネ４が上下に揺動可能に保持してなる請求項１記載の自動停止装置付スライドファスナー用スライダー。
【請求項３】
上翼板７の前後に立設した取付部１２, １３の上面に、カバー５の内面に設置した保持機構３５を収容する収容部１５, １６を設け、各収容部１５, １６は各取付部１２, １３の前端または後端から内側へそれぞれ隔離した位置に設けてなる請求項１記載の自動停止装置付スライドファスナー用スライダー。
【請求項４】
保持機構３５を収容できる前方取付部１２は、後口２１側が傾斜し肩口２０側が直立する角柱状で縦方向中央に爪杆３の係止基部２２を挿入できる係止凹部１４を形成し、係止凹部１４の前方に横方向に凹状を呈する前方収容部１５を前方取付部１２の前端から内側へ隔離して設けて保持機構３５を収容し、後方取付部１３は、肩口２０側が傾斜し後口２
１側が直立する角柱状で縦方向中央に爪杆３の停止爪２３が挿入できる爪孔１８を設け、爪孔１８の後方に横方向全体が凹状を呈する後方収容部１６を後方取付部１３の後端から内側へ隔離して設けて保持機構３５を収容してなる請求項２記載の自動停止装置付スライドファスナー用スライダー。
【請求項５】
カバー５の内面２個所に突起３６を突設し、先端が突起３６に向け折曲して板バネ４を支持する支持片３７を前後壁２９，３０から内側へ隔離し、かつ側壁３１の基部から突設してなる請求項２記載の自動停止装置付スライドファスナー用スライダー。
【請求項６】
板バネ４を突起３６に嵌挿して支持片３７を折曲して保持したとき、板バネ４を保持する保持部分が、板バネ４が弾性変形時に揺動可能な空間部３９が形成される位置に設けてなる請求項５記載の自動停止装置付スライドファスナー用スライダー。
【発明の詳細な説明】
【技術分野】
【０００１】
この発明は、スライダーが胴体、引手、爪杆、板バネカバーの５部材から構成された自動停止装置付スライドファスナー用スライダーであって、スライダーの組み立てが自動組立であれ、または手動組立であっても、スライダーの胴体に対し板バネおよびカバーの装備が的確、かつ安定した状態で装備し、板バネが有効、かつ円滑に作動できるスライドファスナー用スライダーに関するものである。
【背景技術】
【０００２】
従来、自動停止機構を備えた自動停止装置付スライダーは、胴体、引手、爪杆、板バネ、カバーの５部材から構成されている。例えば、図１０に示すように、自動停止装置付スライダーは、胴体、引手、爪杆、板バネ、カバーから構成され、胴体の上翼板の前後に間隔をおいて取付柱を立設し、前後に立設した取付柱の上面には長方形の板体の板バネを保持するための第１保持部を設け、カバーの内面前後端に板バネを保持するための第２保持部を設け、これらの保持部間に板バネを遊嵌状に架設し、設置した板バネと上翼板との間に引手の枢軸と爪杆とを介在させ、その上方からカバーを上翼板の上面に立設した取付柱に固定した自動停止装置付スライドファスナー用スライダーが開示されている。
【０００３】
そして、この形態のスライダーを自動組立加工または手動組立加工によって、板バネとカバーとを有効に固定するため、自動組立装置を用いるときは、図１１に示すように胴体の上面に設けた斜面部間に引手の枢軸を載置し、その上側へ爪杆の係合突部を凹陥部に挿入し、停止爪を爪孔に挿入して、胴体の上翼板に立設した前後の取付柱の上面に設けた第１保持部に板バネを架設し、この際引手の枢軸を板バネと斜面部との間に介在させ、その上側へ爪杆を載置させた状態で、上方から取付柱を被覆する形でカバーを被せ、第１保持部が第２収容部、第２保持部が第１収容部に対応して嵌装させた後、カバーを取付柱の側面に加締め固定すれば自動停止装置付スライダーを組み立てることができる。
【０００４】
手動作業による組み立ての場合は、図１２に示すように胴体の上面に設けた斜面部間に引手の枢軸を載置し、その上側へ爪杆の係合突部を凹陥部に挿入し、停止爪を爪孔に挿入するとともに、カバーの上壁内面に設けた前後端の突起の第２保持部に板バネの凹部を嵌入しＶ字溝のある突起を左右に折曲して板バネを保持し、この状態のカバーを取付柱に被
せ、第１保持部が第２収容部、第２保持部が第１収容部に対応嵌装させ、カバーを取付柱の側面に加締め固定すれば自動停止装置付スライダーを組み立てることができる。
【特許文献１】特開２００４−１４７７２９号公報
【発明の開示】
【発明が解決しようとする課題】
【０００５】
前項で述べた図１０，１１，１２に示した自動停止装置付スライダーは、胴体の前後に立設した取付柱の上面の第１保持部間に板バネを架設し、上方から取付柱を被覆するようにカバーを被せ、第１保持部と第２収容部、第２保持部と第１収容部が対応し、カバーを取付柱に加締め固定した際、自動的に組み立てるときも、また手動的に組み立てるときも、板バネの端部を第２保持部とカバーの上壁とによって挟持する関係で板バネの端部がルーズな運動ができなく動きは限定される。従って板バネの先端の保持を行うための加締めは精度が要求され、精度が悪いと板バネが動くときに余裕がないため、保持部と干渉を惹起する。その結果スムーズな動きができなかったり、板バネが塑性変形してしまって弾性力を失ってしまうなど問題点がある。
【０００６】
この発明は、上述の問題点を考慮して発明されたものであり、請求項１記載の発明は、自動停止装置付スライダーが、胴体、引手、爪杆、板バネ、カバーの５部材から構成され、この自動停止装置付スライダーを自動的に組み立てでも、手動的に組み立てでも簡単に行うことができ、しかも装備される板バネがきわめて安定した状態で保持され、かつ板バネの端部がルーズに動き上下方向の揺動が円滑に行うことができる自動停止装置付スライドファスナー用スライダーを提供することが主たる目的である。
【０００７】
請求項２記載の発明は、請求項１記載の発明の目的に加え、板バネの形状、およびカバーの板バネ保持機構を特定し、例えばカバーの前壁および後壁から内側に一定間隔で隔離し、すなわち胴体の中心寄りに寄った位置に突起を設けて板バネの先端に設けた凹状の切欠部分を挿入し、突起の側方に支持片をカバーの側壁に設け、支持片の先端を折曲して板バネをルーズに固定し、板バネの端部の動きを自由に可動できる自動停止装置付スライドファスナー用スライダーを提供することが目的である。
【０００８】
請求項３記載の発明は、請求項１記載の発明の目的に加え、スライダーの胴体の前後に設置したカバーを取り付ける部分、またカバーの内面の前後に設置した保持機構を有効に収容できる形態を特定し、スライダーの胴体とカバーとを的確に装備し、効率のよい板バネの弾性力が発揮できる自動停止装置付スライドファスナー用スライダーを提供することが目的である。
【０００９】
請求項４記載の発明は、請求項２に記載した発明の目的に加え、前記の板バネ、カバーをはじめ引手、爪杆を装備するスライダーの胴体の形態を特定し、有効かつ安定した状態で各部材が協動して円滑な作動ができる自動停止装置付スライドファスナー用スライダーを提供することが目的である。
【００１０】
請求項５記載の発明は、請求項２記載の発明の目的に加え、カバーの形態およびカバーの内面に設ける突起と支持片の形態を特定し、カバーの内面に設ける溝部および空間部を有効に活用し、円滑な板バネの弾性力が発揮できる自動停止装置付スライドファスナー用スライダーを提供することが目的である。
【００１１】
請求項６記載の発明は、請求項５記載の発明の目的に加え、カバーの内面に形成する空間部を有効に設置するための形態を特定し、空間部を有効に活用し、板バネの作動を効率よく発揮できる自動停止装置付スライドファスナー用スライダーを提供することが目的である。
【課題を解決するための手段】
【００１２】
前記の目的を達成するため、この発明のうち請求項１記載の発明は、スライダーは、胴体１、引手２、爪杆３、板バネ４、カバー５から構成され、カバー５は、前壁２９、後壁３０、側壁３１、上壁３２から形成し、側壁３１の中央に引手２の枢軸２４が挿通できる開口部３３を設け、胴体１の上翼板７上の前後に一対の取付部１２，１３を設置し、カバー５の内面前後に前壁２９、後壁３０から内側へ隔離して板バネ保持用の保持機構３５を設け、該保持機構３５は、上壁３２の幅方向中央に突出し板バネ４の長手方向前後端縁の一部に接触して保持する突起３６と、左右の側壁３１に並行して下方に立設し、板バネ４の長手方向前後端部を幅方向側面から横方向に保持する支持片３７とを有し、前記突起３６の左右両側と左右側壁３１との間に溝部４０を設け、該溝部４０内にあって保持機構３５とカバー５の上壁３２との間に空間部３９を形成し、保持機構３５は板バネをその端部から内側へ隔離した位置で保持してなり、板バネ４と上翼板７との間に引手２の枢軸２４および爪杆３を介在させて、カバー５を前後の取付部１２，１３に固定してなることを特徴とする自動停止装置付スライドファスナー用スライダーを主な構成とするものである。
【００１３】
請求項２記載の発明は、請求項１記載の発明の構成に加え、板バネ４は長方形板の両端中央に凹状の切欠部２６を設け、前記突起３６に板バネ４の切欠部２６を嵌挿し、カバー５の側壁３１内に、突起３６に対向する支持片３７を前後壁２９，３０から内側へ隔離して設け、支持片３７を折曲して板バネ４が上下に揺動可能に保持した自動停止装置付スライドファスナー用スライダーである。
【００１４】
請求項３記載の発明は、請求項１記載の発明の構成に加え、スライダーの胴体１における上面の前後に立設した取付部１２, １３の上面に、カバー５の内面に設置した板バネ支持用の保持機構３５を収容する収容部１５, １６を設け、この収容部１５，１６は前後の取付部１２, １３の前端または後端から一定間隔で内側へ向けて隔離した位置に設けた自動停止装置付スライドファスナー用スライダーである。
【００１５】
請求項４記載の発明は、請求項２記載の発明の構成に加え、スライダーの胴体１に設ける保持機構３５を収容できる前方取付部１２は、後口２１側が傾斜し肩口２０側が直立する角柱状で縦方向の中央に爪杆３の係止基部２２を挿入できる係止凹部１４を設け、係止凹部１４の前方に横方向に凹状を呈する前方収容部１５を取付部１２の前端から内側へ隔離して設けて保持機構３５を収容し、後方取付部１３は、肩口２０側が傾斜し後口２１側が直立する角柱状で縦方向の中央に爪杆３の停止爪２３が挿入できる爪孔１８を設け、この爪孔１８の後方に横方向全体が凹状を呈する後方収容部１６を取付部１３の後端から内側へ隔離して設けて保持機構３５を収容した自動停止装置付スライドファスナー用スライダーである。
【００１６】
請求項５記載の発明は、請求項２記載の発明の構成に加え、前記カバー５の内面２個所に突起３６を突設し、先端が突起３６に向け折曲して板バネ４を支持する支持片３７を前後壁２９，３０から内側へ隔離し、かつ側壁３１の基部から突設した自動停止装置付スライドファスナー用スライダーである。
【００１７】
請求項６記載の発明は、請求項５記載の発明の構成に加え、スライダーのカバー５内に配する板バネ４は、カバー４の内面２個所に突設した突起３６に嵌挿して、両側の側壁３１に設けた支持片３７の先端を折曲して板バネ４を保持したとき、板バネ４を保持する保持部分が、板バネ４が弾性変形したときに揺動可能な空間部３９が形成される位置に配設した自動停止装置付スライドファスナー用スライダーである。
【発明の効果】
【００１８】
この出願の発明の効果として、請求項１記載の発明は、スライダーは、胴体、引手、爪杆、板バネ、カバーから構成され、カバーは、前壁、後壁、側壁、上壁から形成し、側壁の中央に引手の枢軸が挿通できる開口部を設け、胴体の上翼板上の前後に一対の取付部を設置し、カバーの内面前後に前壁、後壁から内側へ隔離して板バネ保持用の保持機構を設け、保持機構に架設した板バネは、保持機構とカバーの上壁との間に空間部を形成し、保持機構は板バネをその端部から隔離した位置で保持し、板バネと上翼板間に引手の枢軸および爪杆を介在させ、カバーを前後の取付部に固定したことによって、下記の効果を奏する。
【００１９】
板バネ保持用の保持機構をカバーの内面前後に前壁および後壁から内側へ隔離した位置に設けることで、板バネの支持点を内側へ隔離して配することができ、板バネの端部が自由に上下に揺動でき、かつ板バネの端部がカバーの上面へ密着させていながら端部が露呈しルーズに動くので、板バネが具備する弾性力を存分に発揮することができ、かつ板バネを端部から隔離した個所を支持し、安定した状態で胴体に保持することができ、品質のよいスライダーが得られる効果がある。
【００２０】
請求項２記載の発明は、請求項１記載の発明の効果に加え、板バネは長方形板の両端中央に凹状の切欠部を設け、カバーは内面の前後端に板バネ支持用の保持機構として、前後壁から内側へ隔離した上壁の幅方向中央に突出する突起を設け、該突起に板バネの切欠部を嵌挿し、カバーの側壁内に、突起に対向する支持片を前後壁から内側へ隔離して設け、支持片を折曲して板バネが上下に揺動可能に保持したことによって、カバーの端部から隔離した位置に突起を設け、またカバーの端部から隔離した位置に支持片を設けているから、双方が協動して板バネを保持し、簡単な構造で有効な弾性力が発揮できる効果がある。
【００２１】
請求項３記載の発明は、請求項１記載の発明の効果に加え、上翼板の前後に立設した取付部の上面に、カバーの内面に設置した保持機構を収容する収容部を設け、各収容部は各取付部の前端または後端から内側へそれぞれ隔離した位置に設けたことによって、カバーの内面に配した板バネ保持用の保持機構を簡単かつ確実に胴体に組み込むことができ、機能の優れた板バネを装備したスライダーに仕上げる効果がある。
【００２２】
請求項４記載の発明は、請求項２記載の発明の効果に加え、保持機構を収容できる前方取付部は、後口側が傾斜し肩口側が直立する角柱状で縦方向中央に爪杆の係止基部を挿入できる係止凹部を形成し、係止凹部の前方に横方向に凹状を呈する前方収容部を前方取付部の前端から内側へ隔離して設けて保持機構を収容し、後方取付部は、肩口側が傾斜し後口側が直立する角柱状で縦方向中央に爪杆の停止爪が挿入できる爪孔を設け、爪孔の後方に横方向全体が凹状を呈する後方収容部を後方取付部の後端から内側へ隔離して設けて保持機構を収容したことによって、スライダーの胴体は、板バネ、カバーを有効かつ簡単に設置できる構造に作製することができ、各部材が効率よく協動して円滑な作動ができる効果がある。
【００２３】
請求項５記載の発明は、請求項２記載の発明の効果に加え、カバーの内面２個所に突起を突設し、該突起の両側で側壁との間に空間部が形成できる溝部を設け、先端が突起に向け折曲して板バネを支持する支持片を前後壁から内側へ隔離し、かつ側壁の基部から突設したことによって、カバーにおける内面２個所に突起を突設し、突起の両側で側壁との間に空間部が形成できる溝部を設け、先端が突起に向け折曲する支持片を両側から内側へ隔離し、かつ側壁の内側から突設したことによって、カバーの内面に設ける突起と支持片とが有効に関連して溝部内に空間部を適切に設置できる効果がある。
【００２４】
請求項６記載の発明は、請求項５記載の発明の効果に加え、板バネを突起に嵌挿して支持片を折曲して保持したとき、板バネを保持する保持部分が、板バネが弾性変形時に揺動
可能な空間部が形成される位置に設けたことによって、板バネを保持する支持片の折曲機構による保持部分が、板バネの両側が自由に上下に揺動できる空間部を形成し、板バネの揺動動作に支障を来すことがなく、品質のよい自動停止機構を備えたスライダーに仕上げることができる効果があるなど、この発明が奏する効果はきわめて顕著である。
【発明を実施するための最良の形態】
【００２５】
この発明における自動停止装置付スライドファスナー用スライダーは、金属製であり胴体１、引手２、爪杆３、板バネ４、カバー５の５部材から構成され、胴体１の上翼板７の上面における前後に、カバー５を被せて取り付ける前方取付部１２、後方取付部１３を立設し、前方取付部１２は、中央へ向け後口２１側が傾斜し、肩口２０側が直立する角柱状に形成し、この前方取付部１２における縦方向（胴体１の長手方向）の中央に爪杆３の屈曲した係止基部２２が挿入できる係止凹部１４を設け、前方取付部１２の上面でこの係止凹部１４の前方に横方向（胴体１の幅方向）に凹状を呈する前方収容部１５を設け、この前方収容部１５は、前方取付部１２の前端から内側へ隔離する状態で設けて、カバー５内に設けた保持機構３５を収容する。
【００２６】
後方取付部１３は、中央へ向け肩口２０側が傾斜し、後口２１側が直立する角柱状に形成し、この後方取付部１３における縦方向の中央に爪杆３に設けた停止爪２３が挿入できる爪孔１８を穿設し、後方取付部１３の上面でこの爪孔１８の後方に横方向全体が凹状を呈する後方収容部１６を後方取付部１３の後端から内側へ隔離した位置に設けて、カバー５内に設けた保持機構３５を収容する。
【００２７】
一方、板バネ４とカバー５とは、自動的に組み立てにおいては、事前に装着する必要はないが、手動的に組み立てにおいては、板バネ４とカバー５とは事前に組み付けなければカバー５から板バネ４が落下してしまう。そこで保持機構３５について説明すると、カバー５の内面で上壁３２の前後壁２９, ３０から隔離した位置の幅方向中央に板バネ４の切欠部２６が嵌挿できる突起３６を突設し、この突起３６の両側に板バネ４の舌片２７が揺動できる空間部３９のある溝部４０を形成し、カバー５の側壁３１には突起３６と並行状に板バネ４の舌片２７を支持できる支持片３７を側壁３１に平行に立設し、この支持片３７は突起３６に嵌挿された板バネ４を支持するため支持片３７の先端を折曲して舌片２７の動きを規制し、舌片２７を溝部４０で自由に揺動できるよう空間部３９を形成する。そのため、支持片３７の内側への折曲は折曲点が溝部４０の深さと略等しい個所を折曲し、板バネ保持用の保持機構３５が完成する。
【００２８】
この形態のスライダーを組み立てるには、自動組立装置を用いる場合は、図４に示すように胴体１の前後の取付部１２, １３間に引手２の枢軸２４を嵌挿し、その上側に爪杆３を載置し、この際爪杆３の一端に設けた係止基部２２を前方取付部１２に設けた係止凹部１４に挿入し、他端の停止爪２３を爪孔１８に挿入する。その上側へカバー５の内面に板バネ４を装着した状態で供給し、カバー５を前後の取付部１２, １３を被覆するとともに、取付部１２, １３の側面に設けた凹陥部１９にカバー５の側壁３１を加締め固定する。手動的の組み立ての場合は、切欠部２６のある板バネ４とカバー５とを、カバー５に設けた突起３６と支持片３７を利用して組み付け、胴体１の前後の取付部１２, １３に装備した引手２の枢軸２４および爪杆３に被せ、カバー５の前後の側壁３１を前後の取付部１２, １３の側面に設けた凹陥部１９に加締め固定する。
【００２９】
この自動停止装置付スライダーの特徴は、板バネ４における両端の舌片２７がカバー５内に形成された溝部４０の空間部３９内を図９に示したとおり揺動し、板バネ４が弾性変形したとき、先端はカバー５の上壁３２から離間し、板バネ４の揺動を円滑に行い、スライダーの摺動が軽快に操作することができる。
【実施例１】
【００３０】
図１〜９に示した実施例１の自動停止装置付スライドファスナー用スライダーは、胴体１、引手２、爪杆３、板バネ４、カバー５の５部材から構成され、これらの部材はアルミニウム合金、亜鉛合金などをダイカスト成形、またはブラス、ステンレス鋼などをプレス加工によって成形する。またスライダーの一部の部品は、合成樹脂を用いて射出成形加工で成形してもよい。
【００３１】
胴体１は、上翼板７と下翼板８とを案内柱９によって連結し、上下の翼板７, ８または一方の翼板７, ８の両側にファスナーエレメントをガイドするフランジ１０を屈設して、ファスナーエレメントが挿通できるガイド溝１１を形成する。上翼板７の上面の肩口２０側と後口２１側に板バネ４とカバー５とを取り付ける前方取付部１２と後方取付部１３を設ける。
【００３２】
前方取付部１２は、後口２１側が傾斜し肩口２０側が直立する角柱状で上面の縦方向すなわちスライダーの長手方向の中央に爪杆３の屈曲した係止基部２２が挿入できる係止凹部１４を設け、この係止凹部１４の両側および前方すなわち肩口２０側に凹状を呈する前方収容部１５を設けてカバー５の内面に設けた板バネ４を保持する保持機構３５を収容することができる。図６および図７に示すように、保持機構３５としての支持片３７と突起３６とが前後の取付部１２, １３と干渉することなく入り込む形で形成される。また前方収容部１５は前方取付部１２の前端から内側、すなわち後口２１側へ隔離する位置に形成し、前方取付部１２の側面には一段と落ち込んだ凹陥部１９を設け、カバー５を取り付けるときカバー５の側壁３１を凹陥部１９に対し加締めて固定する。
【００３３】
後方取付部１３は、肩口２０側が傾斜し後口２１側が直立する角柱状であり、縦方向の中央に爪杆３の端部に屈設した停止爪２３が挿入できる爪孔１８を穿設し、爪孔１８は上翼板７の表面からガイド溝８に連通する形に形成し、爪杆３を嵌装できる凹溝１７は爪孔１８と連通する形態である。この凹溝１７の両側および後方の取付部１３の一部は横方向に凹状を呈する後方収容部１６を後方取付部１３の後端から内側へ隔離する位置に形成する。取付部１３の側面には一段と落ち込んだ凹陥部１９を設け、カバー５を取り付けるとき、カバー５の側壁３１を凹陥部１９に対し加締めて固定する。
【００３４】
前方収容部１５、後方収容部１６は、それぞれ前後の保持機構３５を収容するものであって、前後の収容部１５, １６は、前後の取付部１２, １３の最高面よりも低く、保持機構３５に干渉しない形状であればよく、また前後の収容部１５, １６の設置位置は、スライダーを組み立てたとき、カバー５の側壁３１に形成する開口部３３の口縁よりも肩口２０側また後口２１側に位置し、前方収容部１５は、図６に示すように爪杆３の係止基部２２を挿入する係止凹部１４の側板２８の上側部分に凹設し、この前方収容部１５は、爪杆３には干渉しない位置に始端および後端を形成し、前方取付部１２は係止凹部１４の側方に位置する側板２８および肩口２０側の前面に位置する前方取付部１２の端面全幅にわたって凹設することにより前方収容部１５は形成される。後方収容部１６は、爪杆３が嵌挿する凹溝１７の側方における側板２８の上側部分、および後方取付部１３における凹溝１７に面した端面全幅にわたって凹設することにより後方収容部１６は形成される。このように前方収容部１５と後方収容部１６を形成することにより、爪杆３と保持機構３５とが干渉することがなく、板バネ４の作動を有効に発揮することができる。また板バネ４は、長方形板の両端の中央に凹状の切欠部２６を設け、その切欠部２６により、左右に分離された舌片２７が形成される。
【００３５】
カバー５と板バネ４を保持する保持機構について説明すると、カバー５は前壁２９、後壁３０、両側の側壁３１、上壁３２から形成する箱形であり、両側の側壁３１の中央に引手２の枢軸２４が挿通できる開口部３３が設けられている。開口部３３は上壁３２とは反
対側が開口し、胴体１の上翼板７でその開口を塞ぐ、そしてカバー５の上壁３２の前後部には板バネ４を保持する保持機構３５を形成する突起３６と支持片３７を設ける。突起３６はカバー５の前壁２９から内側へ隔離した位置の中央に突設され、この突起３６の両側にカバー５の下面から上壁３２の内面までの深さより浅い溝部４０が形成され、カバー５の両側の側壁３１には溝部４０上へ折曲することができ、前壁２９から内側へ隔離した支持片３７が突起３６および側壁３１と並行状に設けられている。同様にカバー５の後壁３０側にも突起３６と支持片３７を設け、それぞれが後壁３０から内側へ隔離されている。この支持片３７は板バネ４の端部から内側へ隔離し、溝部４０と略等しい位置で先端を突起３６側へ折曲し、板バネ４の下面側を支え、突起３６に嵌挿した板バネ４を外側から押え込む。これによって溝部４０内に板バネ４の舌片２７が揺動できる空間部３９を、図５に示すように形成し、板バネ保持用の保持機構３５がカバー５の前後に完成する。
【００３６】
カバー５は、側壁３１の下面から上壁３２の内面までの高さ寸法が、縦方向の中央へ向って漸次高くなる勾配で上壁３２を形成し、上壁３２の内面に前壁２９および後壁３０から中央へ向って隔離した位置に保持機構３５としての突起３６と支持片３７を傾斜する上壁３２内に設置し、板バネ４が上下に揺動することができる空間部３９を形成する。また保持機構３５は開口部３３の口縁よりも前壁２９および後壁３０側に形成し、支持片３７は突起３６へ向けて先端を折曲するので、板バネ４を横方向から支持するから、板バネ４が弾性変形しても、また前後方向に変動しても保持が外れることがなく、舌片２７の端部は、図７に示すように支持片３７から露呈し、前壁２９または後壁３０と支持片３７の間に位置し、安定した状態で保持できる。なお、露呈とは、支持片３７で保持される部分は、図５にも示すように、支持片３７が板バネ４の一部を覆っている個所に対して、覆われる部分が存在しないことである。
【００３７】
スライダーの組み立ては、自動組立機を用いる場合は、図４に示すように胴体１における前方取付部１２と後方取付部１３の斜面に沿って引手２の枢軸２４を挿通し、その上側へ爪杆３を当接する形で挿入し、その上方へ板バネ４を装着したカバー５を被せ、このときカバー５の前後に形成した突起３６と支持片３７による保持機構３５を前後の取付部１２, １３に形成した収容部１５, １６に遊嵌し、カバー５の側壁３１を前後の取付部１２, １３の凹陥部１９に対し、加締め加工によって固定する。従ってこの状態で板バネ４の両端部分の下側には、前後の取付部１２，１３が位置し、それらの上面と対面している。板バネ４の両端部分と取付部１２，１３の上面との間には、板バネ４が変形したときに揺動可能な間隙がある。
【００３８】
このスライダーは、摺動操作のとき図８, ９に示すように引手２を引張って停止爪２３を引き上げたとき、板バネ４はカバー５の上壁３２に接触するが、板バネ４の先端の舌片２７の先端は、カバー５の上壁３２とは接触はしない。従って舌片２７は自由に空間部３９内を揺動する。空間部３９内では、折曲した支持片３７の折曲点と上壁３２の内面との間に介在し、板バネ４が弾性変形したとき、支持片３７の折曲点から遠ざかるように揺動し、支持片３７の折曲点とは接触しない。板バネ４は図７から図９に変化したとき、従来品と異なり舌片２７が自由に揺動し板バネ４の弾性力を充分に活用し円滑な操作ができる。
【産業上の利用可能性】
【００３９】
この発明の自動停止装置付スライドファスナー用スライダーは、あらゆる製品、例えば衣服、カバン、ブーツなどに取り付けて使用し、スライダーの摺動操作が軽快に行え、摺動抵抗が小さい。
【図面の簡単な説明】
【００４０】
【図１】実施例１に基づく自動停止装置付スライドファスナー用スライダーの分解斜視図である。
【図２】同上スライダーのカバーの断面図である。
【図３】同上スライダーの図２のＡ−Ａ断面図である。
【図４】同上スライダー組み立て順序を示した図である。
【図５】同上スライダーの図３に示したカバー加工後の断面図である。
【図６】同上スライダーの組立後の断面図である。
【図７】同上スライダーの後方取付部における拡大断面図である。
【図８】同上スライダーの使用状態を示す断面図である。
【図９】同上スライダーの後方取付部における使用状態を示す拡大断面図である。
【図１０】公知のスライダーの断面図である。
【図１１】同上スライダーの板バネ保持部の断面図である。
【図１２】同上スライダーの板バネ保持部の断面図である。
【符号の説明】
【００４１】
１      胴体
２      引手
３      爪杆
４      板バネ
５      カバー
７      上翼板
１２    取付部（前方）
１３    取付部（後方）
１４    係止凹部
１５    収容部（前方）
１６    収容部（後方）
１８    爪孔
２０    肩口
２１    後口
２２    係止基部
２３    停止爪
２４    枢軸
２６    切欠部
２９    前壁
３０    後壁
３１    側壁
３２    上壁
３３    開口部
３５    保持機構
３６    突起
３７    支持片
３９    空間部
４０    溝部
【図１】
0005008518.tif 000002
【図２】
0005008518.tif 000003
【図３】
0005008518.tif 000004
【図４】
0005008518.tif 000005
【図５】
0005008518.tif 000006
【図６】
0005008518.tif 000007
【図７】
0005008518.tif 000008
【図８】
0005008518.tif 000009
【図９】
0005008518.tif 000010
【図１０】
0005008518.tif 000011
【図１１】
0005008518.tif 000012
【図１２】
0005008518.tif 000013